(57)【要約】【課題】熱交換器の一側を樹脂製ブラケットにより固定支持しているものにおいて、熱交換器と樹脂製ブラケットとの固定力を十分確保することにより、輸送中の落下時の衝撃等による熱交換器の外れを防止できる空気調和機を提供することを目的とする。【解決手段】ユニット本体内に設置された樹脂製ブラケット８を介してフィンチューブ型熱交換器の少なくとも一側部が固定支持されている空気調和機にあって、樹脂製ブラケット８は、熱交換器の側面から突出されている伝熱管のヘアピン部を挿入支持する多数の長穴１３を備え、長穴１３の中の選択された特定の長穴１３Ａないし１３Ｅには、その両長辺部に沿って熱交換器のヘアピン部を挿入時に弾性変形して受け入れ、該ヘアピン部を両側から係合支持する一対の係合爪１６が設けられている。【選択図】図３
2015206538.tif 000002
【特許請求の範囲】
【請求項１】
ユニット本体内に樹脂製ブラケットが設置され、その樹脂製ブラケットを介してフィンチューブ型熱交換器の少なくとも一側部が固定支持されている空気調和機において、
前記樹脂製ブラケットは、前記熱交換器の側面から突出されている伝熱管のヘアピン部を挿入支持する多数の長穴を備え、
前記長穴の中の選択された特定の長穴には、その両長辺部に沿って前記熱交換器の前記ヘアピン部を挿入時に弾性変形して受け入れ、該ヘアピン部を両側から係合支持する一対の係合爪が設けられていることを特徴とする空気調和機。
【請求項２】
前記特定の長穴は、周囲に沿って立ち上げ壁が設けられ、
前記一対の係合爪は、前記立ち上げ壁の一部を利用しその両側にスリット状の切り込みを設けることにより形成されていることを特徴とする請求項１に記載の空気調和機。
【請求項３】
前記一対の係合爪は、前記ヘアピン部を係合支持する外側面が前記ヘアピン部の内周側の曲率に沿った曲面形状とされていることを特徴とする請求項１または２に記載の空気調和機。
【請求項４】
前記一対の係合爪は、前記ヘアピン部を挿入するときに接触する内側面が前記ヘアピン部の外周側の曲率に沿った曲面形状とされていることを特徴とする請求項１ないし３のいずれかに記載の空気調和機。
【請求項５】
前記樹脂製ブラケットには、前記熱交換器を挿入する面と反対側の面に、該樹脂製ブラケットを水平状態に置くための少なくとも１以上の突部が一体成形されていることを特徴とする請求項１ないし４のいずれかに記載の空気調和機。
【発明の詳細な説明】
【技術分野】
【０００１】
本発明は、ユニット本体内に樹脂製ブラケットを設け、その樹脂製ブラケットを介して熱交換器の少なくとも一側部を固定支持している空気調和機に関するものである。
【背景技術】
【０００２】
壁掛け形の空気調和機等において、ユニット本体を構成するベースに対し、フィンチューブ型熱交換器の側面形状に対応した形状の樹脂材製一体成形ブラケット（以下、樹脂製ブラケットという。）を固定設置し、その樹脂製ブラケットを介してフィンチューブ型熱交換器の一側部を固定支持している空気調和機が従来から知られている。
【０００３】
特許文献１には、樹脂製ブラケットに対して、周囲に立ち上げ壁を有する平行四辺形の挿入穴が多数設けられ、その挿入穴内に平行に配設されている２組のヘアピン部を平行な２辺に沿って挿入し、各辺に設けられている係合爪を対応するヘアピン部に一側から係合させて熱交換器の一側部を固定支持するようにしたものが開示されている。
【０００４】
また、特許文献２には、樹脂製ブラケットの片面側に、平行に２列に配列されているヘアピン部が挿入可能な溝が設けられ、その溝内に平行に２列に配列されているヘアピン部を外壁および内壁に沿って挿入し、外壁側に沿って設けられている複数の係合爪を対応するヘアピン部に一側から係合させて熱交換器の一側部を固定支持するとともに、ヘアピン部の内周側と係合する係合爪の先端部形状を、ヘアピン部の内周側の径と略等しい径の円弧形状としたものが開示されている。
【先行技術文献】
【特許文献】
【０００５】
【特許文献１】特許第４０４２７９９号公報
【特許文献２】特許第５１７４５３０号公報
【発明の概要】
【発明が解決しようとする課題】
【０００６】
しかしながら、特許文献１，２に示されるものでは、熱交換器のヘアピン部を樹脂製ブラケットの挿入穴や溝に挿入し、そのヘアピン部に対して、挿入穴や溝に沿って設けられている弾性変形可能な係合爪を一側から係合させて固定支持しているため、通常の運転時や使用時あるいは輸送時においては、特段問題はないが、輸送中において梱包された状態の空気調和機を落としてしまうことが往々にしてあり、この場合、その衝撃によって熱交換器が樹脂製ブラケットから外れる虞があった。
【０００７】
かかる輸送中における落下時の衝撃による熱交換器の外れ防止対策として、従来、熱交換器と樹脂製ブラケットとを複数箇所でタイラップバンド等により結束する方策が採られているが、余計な工数がかかってしまう等の課題があった。
【０００８】
本発明は、このような事情に鑑みてなされたものであって、熱交換器の一側を樹脂製ブラケットにより固定支持しているものにおいて、熱交換器と樹脂製ブラケットとの固定力を十分確保することにより、輸送中の落下時の衝撃等による熱交換器の外れを防止できる空気調和機を提供することを目的とする。
【課題を解決するための手段】
【０００９】
上記した課題を解決するために、本発明の空気調和機は、以下の手段を採用する。
すなわち、本発明にかかる空気調和機は、ユニット本体内に樹脂製ブラケットが設置され、その樹脂製ブラケットを介してフィンチューブ型熱交換器の少なくとも一側部が固定支持されている空気調和機において、前記樹脂製ブラケットは、前記熱交換器の側面から突出されている伝熱管のヘアピン部を挿入支持する多数の長穴を備え、前記長穴の中の選択された特定の長穴には、その両長辺部に沿って前記熱交換器の前記ヘアピン部を挿入時に弾性変形して受け入れ、該ヘアピン部を両側から係合支持する一対の係合爪が設けられていることを特徴とする。
【００１０】
熱交換器のヘアピン部を樹脂製ブラケットの多数の長穴に挿入して熱交換器をユニット本体内に固定支持している空気調和機にあっては、輸送中における落下時の衝撃等により熱交換器が樹脂製ブラケットから外れる虞があり、数箇所をタイラップバンドで結束しているが、本発明によれば、フィンチューブ型熱交換器の少なくとも一側部を固定支持している樹脂製ブラケットに、熱交換器の側面から突出されている伝熱管のヘアピン部を挿入支持する多数の長穴が設けられ、その長穴の中の選択された特定の長穴に、その両長辺部に沿って熱交換器のヘアピン部を挿入時に弾性変形して受け入れ、該ヘアピン部を両側から係合支持する一対の係合爪が設けられているため、多数の長穴の中の選択された特定の長穴の両長辺部に沿って設けられている一対の係合爪でヘアピン部を両側から係合支持することによって、熱交換器が横方向に動いた場合でも、ヘアピン部が長穴からの抜けを防止し、熱交換器を樹脂製ブラケットに対してしっかりと固定力を確保して支持することができる。従って、空気調和機の輸送中における落下時の衝撃による熱交換器の外れを確実に防止することができるとともに、タイラップバンドによる結束箇所を減らして組み立て工数を低減することができる。また、ヘアピン部を両側から係合支持する一対の係合爪の設置を選択した特定の長穴のみに限ることで、一対の係合爪を弾性変形させて熱交換器を組み付ける際の組み付け力が過大とならないようにし、組み立ての容易性を確保することができる。
【００１１】
また、本発明の空気調和機は、上記の空気調和機において、前記特定の長穴は、周囲に沿って立ち上げ壁が設けられ、前記一対の係合爪は、前記立ち上げ壁の一部を利用しその両側にスリット状の切り込みを設けることにより形成されていることを特徴とする。
【００１２】
本発明によれば、特定の長穴の周囲に沿って立ち上げ壁が設けられ、一対の係合爪が立ち上げ壁の一部を利用しその両側にスリット状の切り込みを設けることにより形成されているため、各長穴の両長辺部に沿って設けられる一対の係合爪を、その周囲に設けられているヘアピン部の支持面となる立ち上げ壁と一体的に、各々スリット状の切り込みを設けることによって弾性変形可能に形成することができる。従って、各長穴に弾性変形してヘアピン部を受け入れ可能な一対の係合爪を簡易に形成することができる。
【００１３】
また、本発明の空気調和機は、上述のいずれかの空気調和機において、前記一対の係合爪は、前記ヘアピン部を係合支持する外側面が前記ヘアピン部の内周側の曲率に沿った曲面形状とされていることを特徴とする。
【００１４】
本発明によれば、一対の係合爪のヘアピン部を係合支持する外側面がヘアピン部の内周側の曲率に沿った曲面形状とされているため、ヘアピン部の内周側を一対の係合爪の外側面によって面で支持することができる。従って、ヘアピン部に荷重が負荷された際の応力集中をなくし、ヘアピン部の変形や損傷を防止することができる。
【００１５】
また、本発明の空気調和機は、上述のいずれかの空気調和機において、前記一対の係合爪は、前記ヘアピン部を挿入するときに接触する内側面が前記ヘアピン部の外周側の曲率に沿った曲面形状とされていることを特徴とする。
【００１６】
本発明によれば、一対の係合爪のヘアピン部を挿入するときに接触する内側面がヘアピン部の外周側の曲率に沿った曲面形状とされているため、樹脂製ブラケットに対する熱交換器の組み付け時、ヘアピン部を長穴内に挿入し、その外周側を一対の係合爪の内側面に接触させ、一対の係合爪を押し開くように弾性変形させて押し込むようにしているが、その際に、ヘアピン部の外周側を一対の係合爪の内側面に面で接触させることができる。従って、ヘアピン部に押し込み力が負荷された際の応力集中をなくし、ヘアピン部の変形や損傷を防止することができる。
【００１７】
さらに、本発明の空気調和機は、上述のいずれかの空気調和機において、前記樹脂製ブラケットには、前記熱交換器を挿入する面と反対側の面に、該樹脂製ブラケットを水平状態に置くための少なくとも１以上の突部が一体成形されていることを特徴とする。
【００１８】
本発明によれば、樹脂製ブラケットの熱交換器を挿入する面と反対側の面に、樹脂製ブラケットを水平状態に置くための少なくとも１以上の突部が一体成形されているため、樹脂製ブラケットに熱交換器を組み付ける際、樹脂製ブラケットを水平状態に置きその長穴内に熱交換器のヘアピン部を挿入して押し込み、係合爪に対してヘアピン部を係合支持させることができる。従って、樹脂製ブラケットと熱交換器との組み立ての容易化、安定化を図ることができる。
【発明の効果】
【００１９】
本発明によると、多数の長穴の中の選択された特定の長穴の両長辺部に沿って設けられている一対の係合爪でヘアピン部を両側から係合支持することにより、熱交換器が横方向に動いた場合でも、ヘアピン部が長穴からの抜けを防止し、熱交換器を樹脂製ブラケットに対してしっかりと固定力を確保して支持することができるため、空気調和機の輸送中の落下時の衝撃等による熱交換器の外れを確実に防止することができるとともに、タイラップバンドによる結束箇所を減らして組み立て工数を低減することができる。また、ヘアピン部を両側から係合支持する一対の係合爪の設置を選択した特定の長穴のみに限ることにより、一対の係合爪を弾性変形させて熱交換器を組み付ける際の組み付け力が過大とならないようにし、組み立ての容易性を確保することができる。
【図面の簡単な説明】
【００２０】
【図１】本発明の一実施形態に係る空気調和機の熱交換器取り付け状態を示す斜視図である。
【図２】上記熱交換器と樹脂製ブラケットとを組み付けた状態の斜視図である。
【図３】上記樹脂製ブラケット単体の斜視図である。
【図４】上記熱交換器と樹脂製ブラケットとを組み付けた状態での図３中のＡ−Ａ断面相当図である。
【図５】上記熱交換器と樹脂製ブラケットとを組み付けた状態での図３中のＢ−Ｂ断面相当図である。
【図６】上記樹脂製ブラケットに対する熱交換器の組み付け状態を説明する図４に対応する断面相当図である。
【発明を実施するための形態】
【００２１】
以下に、本発明の一実施形態について、図１ないし図６を参照して説明する。
図１には、本実施形態に係る空気調和機の熱交換器取り付け状態の斜視図が示され、図２には、その熱交換器と樹脂製ブラケットとを組み付けた状態の斜視図、図３には、樹脂製ブラケット単体の斜視図が示されている。
空気調和機１は、ユニット本体２を構成するベース３を備えている。ベース３には、熱交換器４、吹出し口アセンブリ７、図示省略の送風ファンおよびコントロールボックス等が組み込まれるとともに、それらの上面、左右側面および前面を覆うようにユニット本体２を構成する前面カバーおよび前面パネルが組み付けられるようになっている。
【００２２】
熱交換器４は、所定ピッチで多数配列される伝熱管５に対して板状フィン６が所定間隔で多数枚配設されて構成されたフィンチューブ型の熱交換器とされている。この熱交換器４は、前面側熱交換器４Ａと背面側熱交換器４ＢとがΛ形状に配置されて一体化されたものであり、ベース３の左右両側に固定設置されているブラケット８，９を介してユニット本体２内に組み込まれるようになっている。図示省略の送風ファンは、熱交換器４の内部空間に配設され、一端側がベース３の軸受部１０に軸受を介して回転自在に支持されるとともに、他端側がブラケット９に組み付けられているモータ１１の出力軸に連結されて設けられるものであり、本実施形態では、クロスフローファンが用いられている。
【００２３】
吹出し口アセンブリ７は、スタビライザを含む吹出し風路形成部材、その吹出し風路形成部材に一体成形された前面側熱交換器４Ａ用のドレンパン、吹出し風路形成部材に組み込まれる風向調整用のフラップおよびルーバ、そのフラップおよびルーバを回動するモータ等から構成されるものである。また、コントロールボックスは、ベース３の右側端部に組み込まれるものであり、リモコンからの操作信号等を受信して空気調和機の運転制御を行うものである。
【００２４】
熱交換器４の一側部を固定支持するブラケット８は、ＡＢＳ樹脂、ＰＰ樹脂等の樹脂材により一体成形されたブラケット（以下、樹脂製ブラケットという。）であり、熱交換器４の側面形状に相似する所定板厚の固定基板１２を備えている。この固定基板１２は、熱交換器４の一側と対向する側の面が平面とされており、その平面に熱交換器４の側面から側方に突出されている伝熱管５の多数のヘアピン部５Ａの配列に対応するように、各ヘアピン部５Ａを挿入可能な多数の長穴１３が設けられた構成とされている。
【００２５】
固定基板１２の外側面（反熱交換器組み付け側の側面）には、熱交換器４のヘアピン部５Ａを挿入する多数の長穴１３の周囲に沿って、あるいは固定基板１２自体の周辺部等に沿って、ヘアピン部５Ａの支持面用あるいは固定基板１２自体の剛性・強度確保用の所定高さを有する多数の立ち上げ壁（リブ壁）１４が一体に成形されている。
【００２６】
この立ち上げ壁１４は、多数の長穴１３の中の選択された特定の長穴１３、すなわち前面側熱交換器４Ａにおける前後方向３列のヘアピン部５Ａの中の中央列のヘアピン部５Ａの上下方向に沿う３箇所のヘアピン部５Ａに対応する３箇所の長穴１３Ａ，１３Ｂ，１３Ｃと、背面側熱交換器４Ｂにおける前後方向３列のヘアピン部５Ａの中の後方２列のヘアピン部５Ａの最下方の２箇所のヘアピン部５Ａに対応する２箇所の長穴１３Ｄ，１３Ｅに対しては、その全周に沿って設けられ、その他の長穴１３に対しては、長辺部の一辺側のみに沿って設けられている。
【００２７】
特定の長穴１３Ａないし１３Ｅの全周に沿って設けられている立ち上げ壁１４の両長辺部に沿う立ち上げ壁１４には、それぞれ所定の間隔で２条のスリット状の切り込み１５が設けられ、その２条のスリット状切り込み１５の間に、弾性変形可能な対向する一対の係合爪１６が、各長穴１３Ａないし１３Ｅ毎に設けられている。この長穴１３Ａないし１３Ｅの両側に設けられる一対の係合爪１６は、各長穴１３Ａないし１３Ｅに挿入された熱交換器４のヘアピン部５Ａを両側から係合支持するものである。
【００２８】
各長穴１３Ａないし１３Ｅに設けられる一対の係合爪１６は、図４ないし図６に示されるように、ヘアピン部５Ａを係合支持する外側面１６Ａが、ヘアピン部５Ａの内周側５Ｂの曲率に沿った曲面形状とされている。また、ヘアピン部５Ａを長穴１３Ａないし１３Ｅに挿入して押し込み、一対の係合爪１６に係合支持させる際、ヘアピン部５Ａの外周側５Ｃが当接される一対の係合爪１６の内側面１６Ｂは、ヘアピン部５Ａの外周側５Ｃの曲率に沿った曲面形状とされている。
【００２９】
これによって、熱交換器４のヘアピン部５Ａは、一対の係合爪１６の外側面１６Ａのヘアピン部５Ａの内周側５Ｂの曲率に沿った曲面により面で係合支持されるとともに、ヘアピン部５Ａを長穴１３Ａないし１３Ｅに挿入して押し込み、一対の係合爪１６を弾性変形させて係合支持する際に、ヘアピン部５Ａの外側面１６Ａを、その曲率に沿った曲面とされている一対の係合爪１６の内側面１６Ｂに面で接触させて押し込めるようにすることができる。
【００３０】
また、上記長穴１３Ａないし１３Ｅ以外の長穴１３に対しては、その長辺の一側に沿って設けられている立ち上げ壁１４に、それぞれヘアピン部５Ａを片側からのみ係合支持する係合爪１７が設けられた構成とされている。なお、この係合爪１７の外側面および内側面を、係合爪１６の外側面１６Ａおよび内側面１６Ｂと同様の構成としてもよいことはもちろんである。また、樹脂製ブラケット８には、その固定基板１２の後方端側の上下２箇所に、ユニット本体２を構成するベース３に対して樹脂製ブラケット８をビス等により締め付け固定するための固定ボス部１８が一体に成形されている。
【００３１】
更に、固定基板１２の前方端側の上下方向中間位置には、樹脂製ブラケット８を水平状態に置くための少なくとも１以上の突部１９が一体に成形されており、この突部１９等を用いて樹脂製ブラケット８を、立ち上げ壁１４、係合爪１６，１７、固定ボス部１８および突部１９が設けられている面を下にして水平状態に置き、その長穴１３，１３Ａないし１３Ｅに熱交換器４のヘアピン部５Ａを挿入し、そのヘアピン部５Ａを係合爪１６，１７により係合支持される位置まで弾性変形させて押し込むことによって、図２に示されるように、熱交換器４と樹脂製ブラケット８とが一体的に組み付け可能とされている。
【００３２】
以上に説明の構成により、本実施形態によれば、以下の作用効果を奏する。
熱交換器４は、その左右両端部に組み付けられている樹脂製ブラケット８およびブラケット９を、ユニット本体２を構成するベース３に対して固定ボス部１８等を複数箇所で締め付け固定することによって組み込まれる。また、樹脂製ブラケット８の熱交換器４に対する組み付けは、固定基板１２の立ち上げ壁１４、係合爪１６，１７、固定ボス部１８および突部１９が設けられている面側に下にして樹脂製ブラケット８を水平に置き、その長穴１３，１３Ａないし１３Ｅに熱交換器４のヘアピン部５Ａを挿入して押し込み、係合爪１６，１７によりヘアピン部５Ａを係合支持することによって一体に組み付けられる。
【００３３】
この熱交換器４と樹脂製ブラケット８との組み付け時、図６に示されるように、長穴１３Ａないし１３Ｅに挿入されるヘアピン部５Ａの外周側５Ｃは、まず破線で示されるように一対の係合爪１６の内側面１６Ｂに面で接触し、一対の係合爪１６を押し開くように弾性変形させて各長穴１３Ａないし１３Ｅに押し込まれる。そして、ヘアピン部５Ａが一対の係合爪１６を通過し、係合爪１６が元の位置に弾性復帰されることにより、実線で示されるように、その外側面１６Ａでヘアピン部５Ａの内周側５Ｂが面で係合支持されることになる。
【００３４】
このように、熱交換器４のヘアピン部５Ａを、選択された特定の５箇所の長穴１３Ａないし１３Ｅ位置において、その両長辺部に設けられている一対の係合爪１６により、両側から係合支持し、他の長穴１３位置では、一側の長辺に設けられている係合爪１７によって片側から係合支持することによって、樹脂製ブラケット８に対してしっかりと固定力を確保して係合支持することができる。
【００３５】
そして、必要に応じて、樹脂製ブラケット８をベース３に固定する固定ボス部１８に近い１箇所で、ヘアピン部５Ａと樹脂製ブラケット８とをタイラップバンドにより結束することによって、輸送中の落下時の衝撃等による熱交換器４の外れを十分に防止できるように熱交換器４をベース３に対して組み付けることができる。
【００３６】
斯くして、本実施形態によると、空気調和機１の輸送中における落下時の衝撃による熱交換器４の外れを確実に防止することができるとともに、タイラップバンドによる結束箇所を減らして組み立て工数を低減することができる。また、熱交換器４のヘアピン部５Ａを両側から係合支持する係合爪１６の設置を選択した特定の長穴１３Ａないし１３Ｅのみに限ることで、係合爪１６を弾性変形させて熱交換器４を組み付ける際の組み付け力が過大とならないようにし、組み立ての容易性を確保することができる。
【００３７】
また、本実施形態では、長穴１３，１３Ａないし１３Ｅの周囲に沿って立ち上げ壁１４が設けられ、一対の係合爪１６が立ち上げ壁１４の一部を利用しその両側にスリット状の切り込み１５を設けることにより形成されている。このため、各長穴１３Ａないし１３Ｅの両長辺部に沿って設けられる一対の係合爪１６を、その周囲に設けられているヘアピン部５Ａの支持面となる立ち上げ壁１４と一体的に、各々スリット状の切り込み１５を設けることによって弾性変形可能に形成することができる。従って、各長穴１３Ａないし１３Ｅに弾性変形してヘアピン部５Ａを受け入れ可能な一対の係合爪１６を簡易に形成することができる。
【００３８】
また、上記一対の係合爪１６のヘアピン部５Ａを係合支持する外側面１６Ａが、ヘアピン部５Ａの内周側５Ｂの曲率に沿った曲面形状とされているため、ヘアピン部５Ａの内周側５Ｂを一対の係合爪１６の外側面１６Ａによって面で支持することができる。これによって、ヘアピン部５Ａに荷重が負荷された際の応力集中をなくし、ヘアピン部５Ａの変形や損傷を防止することができる。
【００３９】
さらに、上記一対の係合爪１６のヘアピン部５Ａを挿入するときに接触する内側面１６Ｂがヘアピン部５Ａの外周側５Ｃの曲率に沿った曲面形状とされている。このため、樹脂製ブラケット８に対する熱交換器４の組み付け時、ヘアピン部５Ａを長穴１３Ａないし１３Ｅ内に挿入し、その外周側５Ｃを一対の係合爪１６の内側面１６Ｂに接触させ、一対の係合爪１６を押し開くように弾性変形させて押し込むようにしているが、その際に、ヘアピン部５Ａの外周側５Ｃを一対の係合爪１６の内側面１６Ｂに面で接触させることができる。従って、ヘアピン部５Ａに押し込み力が負荷された際の応力集中をなくし、ヘアピン部５Ａの変形や損傷を防止することができる。
【００４０】
また、本実施形態においては、樹脂製ブラケット８の熱交換器４を挿入する面と反対側の面に、樹脂製ブラケット８を水平状態に置くための少なくとも１以上の突部１９が一体成形されているため、樹脂製ブラケット８に熱交換器４を組み付ける際、樹脂製ブラケット８を水平状態に置きその長穴１３，１３Ａないし１３Ｅ内に熱交換器４のヘアピン部５Ａを挿入して押し込み、係合爪１６，１７に対してヘアピン部５Ａを係合支持させることができる。従って、樹脂製ブラケット８と熱交換器４との組み立ての容易化、安定化を図ることができる。
【００４１】
なお、本発明は、上記実施形態にかかる発明に限定されるものではなく、その要旨を逸脱しない範囲において、適宜変形が可能である。例えば、上記実施形態では、一対の係合爪１６を設ける特定の長穴１３Ａないし１３Ｅを５箇所に限っているが、これは限定されるものでないことは云うまでなく、熱交換器４の大きさやヘアピン部５Ａの数、樹脂製ブラケット８を組み付ける際の押し込み力、樹脂製ブラケット８による熱交換器４の固定保持力等に応じて、適宜設定すればよい。
【００４２】
また、熱交換器４の形状も上記実施形態の如く、前面側熱交換器４Ａと背面側熱交換器４ＢとがΛ形状に配置されたものに限定されるものではなく、様々な形状を採用できることはもちろんであり、従って、樹脂製ブラケット８の形状も、それに合わせて様々な形状に変更されるものである。
【符号の説明】
【００４３】
１  空気調和機
２  ユニット本体
３  ベース
４  熱交換器
５  伝熱管
５Ａ  ヘアピン部
５Ｂ  内周側
５Ｃ  外周側
８  樹脂製ブラケット
１３  長穴
１３Ａ，１３Ｂ，１３Ｃ，１３Ｄ，１３Ｅ  特定の長穴
１４  立ち上げ壁
１５  スリット状の切り込み
１６  一対の係合爪
１６Ａ  外側面
１６Ｂ  内側面
１９  突部
【図１】
2015206538.tif 000003
【図２】
2015206538.tif 000004
【図３】
2015206538.tif 000005
【図４】
2015206538.tif 000006
【図５】
2015206538.tif 000007
【図６】
2015206538.tif 000008